(57)【要約】      （修正有）【課題】２組の電気コネクターを含み、第一回路又は第二回路を選択して用いることができる電動機配線装置を提供する。【解決手段】電動機配線装置１００は、ｍ個の第一電気コネクター１１１〜１１ｍ、ｎ個の第二電気コネクター１２１〜１２ｎ、第一回路Ｃ１及び第二回路Ｃ２を含む。第一回路Ｃ１は、ｍ個の第一端ｔ１１〜ｔ１ｍを含み、それぞれ、ｍ個の第一電気コネクター１１１〜１１ｍに接続される。第二回路Ｃ２は、ｎ個の第二端ｔ２１〜ｔ２ｎを含み、それぞれ、ｎ個の第二電気コネクター１２１〜１２ｎに接続される。第一回路Ｃ１は、第一回路形状を有し、第二回路Ｃ２は、第二回路形状を有し、第一回路形状は、第二回路形状と異なる。【選択図】図１
0003218403.tif 000002
【実用新案登録請求の範囲】
【請求項１】
電動機配線装置であって、
m個の第一電気コネクター、
n個の第二電気コネクター、
m個の第一端を含み、且つ前記m個の第一端が前記m個の第一電気コネクターにそれぞれ接続される第一回路、及び
n個の第二端を含み、且つ前記n個の第二端が前記n個の第二電気コネクターにそれぞれ接続される第二回路を含み、
m、nは、正の整数であり、前記第一回路は、第一回路形状を有し、前記第二回路は、第二回路形状を有し、前記第一回路形状は、前記第二回路形状と異なる、電動機配線装置。
【請求項２】
請求項1に記載の電動機配線装置であって、
前記電動機配線装置は、上蓋をさらに含み、
前記m個の第一電気コネクター及び前記n個の第二電気コネクターは、前記上蓋に設けられる、電動機配線装置。
【請求項３】
請求項1に記載の電動機配線装置であって、
mは、3であり、前記第一回路形状は、Y字形状であり、前記m個の第一端は、第1第一端、第2第一端及び第3第一端を含み、
前記第一回路は、さらに、
前記第1第一端に接続される第一端、及び第二端を含む第一受動素子、
前記第2第一端に接続される第一端、及び前記第一受動素子の前記第二端に接続される第二端を含む第二受動素子、及び
前記第3第一端に接続される第一端、及び前記第一受動素子の前記第二端に接続される第二端を含む第三受動素子を含む、電動機配線装置。
【請求項４】
請求項1に記載の電動機配線装置であって、
nは、3であり、前記第二回路形状は、Δ字形状であり、前記n個の第二端は、第1第二端、第2第二端及び第3第二端を含み、
前記第二回路は、さらに、
前記第1第二端に接続される第一端、及び前記第2第二端に接続される第二端を含む第一受動素子、
前記第2第二端に接続される第一端、及び前記第3第二端に接続される第二端を含む第二受動素子、及び
前記第3第二端に接続される第一端、及び前記第1第二端に接続される第二端を含む第三受動素子を含む、電動機配線装置。
【請求項５】
請求項3又は4に記載の電動機配線装置であって、
前記第一受動素子は、第一巻線を含み、前記第二受動素子は、第二巻線を含み、前記第三受動素子は、第三巻線を含む、電動機配線装置。
【請求項６】
請求項1に記載の電動機配線装置であって、
mは、3であり、前記第一回路形状は、Y字形状であり、前記m個の第一端は、第1第一端、第2第一端及び第3第一端を含み、
nは、3であり、前記第二回路形状は、Δ字形状であり、前記n個の第二端は、第1第二端、第2第二端及び第3第二端を含み、
前記第一回路は、さらに、
前記第1第一端に接続される第一端、及び第二端を含む第一受動素子、
前記第2第一端に接続される第一端、及び前記第一受動素子の前記第二端に接続される第二端を含む第二受動素子、及び
前記第3第一端に接続される第一端、及び前記第一受動素子の前記第二端に接続される第二端を含む第三受動素子を含み、
前記第二回路は、さらに、
前記第1第二端に接続される第一端、及び前記第2第二端に接続される第二端を含む第四受動素子、
前記第2第二端に接続される第一端、及び前記第3第二端に接続される第二端を含む第五受動素子、及び
前記第3第二端に接続される第一端、及び前記第1第二端に接続される第二端を含む第六受動素子を含む、電動機配線装置。
【請求項７】
請求項6に記載の電動機配線装置であって、
前記第一受動素子は、第一巻線を含み、前記第二受動素子は、第二巻線を含み、前記第三受動素子は、第三巻線を含み、前記第四受動素子は、第四巻線を含み、前記第五受動素子は、第五巻線を含み、前記第六受動素子は、第六巻線を含む、電動機配線装置。
【請求項８】
請求項6に記載の電動機配線装置であって、
前記m個の第一電気コネクターは、第1第一電気コネクター、第2第一電気コネクター及び第3第一電気コネクターを含み、
前記n個の第二電気コネクターは、第1第二電気コネクター、第2第二電気コネクター及び第3第二電気コネクターを含み、
前記電動機配線装置は、さらに、
電動機の第一固定子コネクターに接続される第一端、及び前記第1第一電気コネクター又は前記第1第二電気コネクターに接続される第二端を含む第一スイッチ、
前記電動機の第二固定子コネクターに接続される第一端、及び前記第2第一電気コネクター又は前記第2第二電気コネクターに接続される第二端を含む第二スイッチ、及び
前記電動機の第三固定子コネクターに接続される第一端、及び前記第3第一電気コネクター又は前記第3第二電気コネクターに接続される第二端を含む第三スイッチを含む、電動機配線装置。
【請求項９】
請求項8に記載の電動機配線装置であって、
前記電動機の回転速度が閾値よりも小さいとき、前記第一スイッチの前記第二端が前記第1第一電気コネクターに接続され、前記第二スイッチの前記第二端が前記第2第一電気コネクターに接続され、また、前記第三スイッチの前記第二端が前記第3第一電気コネクターに接続され、これにより、前記電動機の前記第一固定子コネクター、前記第二固定子コネクター、及び前記第三固定子コネクターが前記第一回路に電気接続されるようにさせる、電動機配線装置。
【請求項１０】
請求項8に記載の電動機配線装置であって、
前記電動機の回転速度が閾値よりも大きいとき、前記第一スイッチの前記第二端が前記第1第二電気コネクターに接続され、前記第二スイッチの前記第二端が前記第2第一電気コネクターに接続され、また、前記第三スイッチの前記第二端が前記第3第一電気コネクターに接続され、これにより、前記電動機の前記第一電気コネクター、前記第二電気コネクター、及び前記第三電気コネクターが前記第二回路に電気接続されるようにさせる、電動機配線装置。
【考案の詳細な説明】
【技術分野】
【０００１】
本考案は、電動機配線（wiring）装置に関し、特に、２組の電気コネクターを含み、第一回路又は第二回路を選択して用いることができる電動機配線装置に関する。
【背景技術】
【０００２】
従来の電動機（モーターとも言う）は、圧縮機を例とすると、通常、１組の導電コネクターを有し、そのうち、該１組の導電コネクターは、例えば、３つの導電コネクターを含む。前記３つの導電コネクターは、３つの引き出し線にそれぞれ接続され、及び特定の回路に接続され、他の端は、圧縮機の３つのコネクターに接続される。前記特定の回路は、例えば、三相電力を生成するための平衡回路であっても良い。しかし、このような設計は、ワーキングすることができるが、実際のニーズに応じて適切な種類の回路を調製することができないので、使用上、依然としてとても不便である。
【考案の概要】
【考案が解決しようとする課題】
【０００３】
本考案の目的は、２組の電気コネクターを含み、第一回路又は第二回路を選択して用いることができる電動機配線装置を提供することにある。
【課題を解決するための手段】
【０００４】
電動機配線装置が提供され、それは、m個の第一電気コネクター、n個の第二電気コネクター、第一回路及び第二回路を含む。前記第一回路は、m個の第一端を含み、前記m個の第一端は、それぞれ、前記m個の第一電気コネクターに接続される。前記第二回路は、n個の第二端を含み、前記n個の第二端は、それぞれ、前記n個の第二電気コネクターに接続される。m、nは、正の整数であり、前記第一回路は、第一回路形状を有し、前記第二回路は、第二回路形状を有し、前記第一回路形状は、前記第二回路形状と異なる。
【０００５】
本考案の上述の特徴及び利点をより明らかにするために、以下、実施例を挙げて添付した図面を参照することにより、詳細に説明する。
【図面の簡単な説明】
【０００６】
【図１】実施例における電動機配線装置の応用図である。
【図２】図1のmが3であり且つnが3である実施例の応用図である。
【図３】図2の実施例における第一電気コネクター及び第二電気コネクターが上蓋に設けられる様子を示す図である。
【図４】図2及び図3の実施例における電動機及びスイッチユニットの引き出し線を示す図である。
【考案を実施するための形態】
【０００７】
以下、添付した図面を参照しながら、本考案を実施するための好適な形態を詳細に説明する。
【０００８】
図1は、実施例における電動機配線装置100の応用図である。電動機配線装置100は、m個の第一電気コネクター111〜11m、n個の第二電気コネクター121〜12n、第一回路C1及び第二回路C2を含む。
【０００９】
第一回路C1は、m個の第一端t11〜t1mを含み、第一端t11〜t1mは、それぞれ、第一電気コネクター111〜11mに接続することができる。第二回路C2は、n個の第二端t21〜t2nを含み、第二端t21〜t2nは、それぞれ、第二電気コネクター121〜12nに接続することができる。m、nは、1よりも大きい正の整数である。第一回路C1は、第一回路形状を有し、第二回路C2は、第二回路形状を有し、第一回路形状は、第二回路形状と異なる。
【００１０】
図1に示すように、第一電気コネクター111〜11mは、スイッチユニットSWに接続され、第二電気コネクター121〜12nは、スイッチユニットSWに接続される。第一電気コネクター111〜11mからスイッチユニットSWまでの間には、m個の経路を有し、これらの径路は、それぞれ、第一電気コネクター111〜11mに対応する。第二電気コネクター121〜12nからスイッチユニットSWまでの間には、n個の経路を有し、これらの径路は、それぞれ、第二電気コネクター121〜12nに対応する。
【００１１】
スイッチユニットSWは、電動機（motor）199の固定子（stator）コネクターに接続され、スイッチユニットSWと電動機199との間には、複数の経路を有する。スイッチユニットSWは、電動機199が第一電気コネクター111〜11m又は第二電気コネクター121〜12nに接続されるように選択するために用いられる。
【００１２】
実施例によれば、電動機配線装置100は、さらに上蓋150を含んでも良く、そのうち、第一電気コネクター111〜11m及び第二電気コネクター121〜12nは、上蓋150に設けることができる。
【００１３】
図2は、図1のmが3であり且つnが3である実施例の応用図である。図2の実施例のように、第一電気コネクター111〜11mは、第一電気コネクター111、112及び113を含んでも良く、第二電気コネクター121〜12nは、第二電気コネクター121、122及び123を含んでも良い。図2のように、第一回路C1の第一回路形状は、Y字形状であっても良く、第一端t11〜t1mは、第一端t11〜t13を含んでも良い。第二回路C2の第二回路形状は、Δ字形状であっても良く、第二端t21〜t2nは、第二端t21〜t23を含んでも良い。
【００１４】
図2のように、第一回路C1は、さらに受動素子P11、P12及びP13を含む。受動素子P11は、第一端t11に接続される第一端、及び第二端を含む。受動素子P12は、第一端t12に接続される第一端、及び受動素子P11の第二端に接続される第二端を含む。受動素子P13は、第一端t13に接続される第一端、及び受動素子P11の第二端に接続される第二端を含む。実施例によれば、受動素子P11は、巻線（winding）を含んでも良く、受動素子P12は、巻線を含んでも良く、受動素子P13は、巻線を含んでも良い。他の実施例では、受動素子P11は、抵抗を含んでも良く、受動素子P12は、抵抗を含んでも良く、受動素子P13は、抵抗を含んでも良い。
【００１５】
図2のように、第二回路C2は、さらに受動素子P21、P22及びP23を含む。受動素子P21は、第二端t21に接続される第一端、及び第二端t22に接続される第二端を含む。受動素子P22は、第二端t22に接続される第一端、及び第二端t23に接続される第二端を含む。受動素子P23は、第二端t23に接続される第一端、及び第二端t21に接続される第二端を含む。実施例によれば、受動素子P11は、巻線を含んでも良く、受動素子P12は、巻線を含んでも良く、及び受動素子P13は、巻線を含んでも良い。他の実施例では、受動素子P11は、抵抗を含んでも良く、受動素子P12は、抵抗を含んでも良く、及び受動素子P13は、抵抗を含んでも良い。
【００１６】
図2のように、実施例によれば、電動機配線装置100は、さらにスイッチユニットSWを含み、スイッチユニットSWは、スイッチSW1、スイッチSW2及びスイッチSW3を含んでも良い。スイッチSW1は、電動機199の第一固定子コネクターS1に接続される第一端、及び第一電気コネクター111又は第二電気コネクター121に選択的に接続するための第二端を含む。スイッチSW2は、電動機199の第二固定子コネクターS2に接続される第一端、及び第一電気コネクター112又は第二電気コネクター122に選択的に接続するための第二端を含む。スイッチSW3は、電動機199の第三固定子コネクターS3に接続される第一端、及び第一電気コネクター113又は第二電気コネクター123に選択的に接続するための第二端を含む。
【００１７】
実施例によれば、図2における電動機199の第一固定子コネクターS1、第二固定子コネクターS2及び第三固定子コネクターS3は、三相電力（three-phase  electric  power）を受けるためのUコネクター、Vコネクター及びWコネクターであっても良い。
【００１８】
実施例によれば、電動機199の回転速度が閾値よりも小さいとき、スイッチユニットSWを制御して、スイッチSW1の第二端が第一電気コネクター111に接続され、スイッチSW2の第二端が第一電気コネクター112に接続され、また、スイッチSW3の第二端が第一電気コネクター113に接続されるようにさせ、これにより、電動機199の第一固定子コネクターS1、第二固定子コネクターS2及び第三固定子コネクターS3が第一回路C1に電気接続されるようにさせることができる。
【００１９】
実施例によれば、電動機199の回転速度が閾値よりも大きいとき、スイッチユニットSWを制御して、スイッチSW1の第二端が第二電気コネクター121に接続され、スイッチSW2の第二端が第二電気コネクター122に接続され、また、スイッチSW3の第二端が第二電気コネクター123に接続されるようにさせ、これにより、電動機199の第一固定子コネクターS1、第二固定子コネクターS2及び第三固定子コネクターS3が第二回路C2に電気接続されるようにさせることができる。
【００２０】
図2のスイッチSW1、SW2及びSW3は、略示に過ぎず、スイッチSW1、SW2及びSW3の完全な構造は、図2の図示に限定されない。実施例によれば、スイッチSW1、SW2及びSW3の任意の１個のスイッチは、単極/双投スイッチ（single-pole  double-throw  switch）であっても良く、そのうち、スイッチの第一端は、スイッチの不動端であっても良く、スイッチの第二端は、スイッチの可動端であっても良い。実施例によれば、スイッチSW1、SW2及びSW3は、他の適切な種類のスイッチを採用しても良く、又は、複数の電子素子からなっても良い。
【００２１】
例えば、電動機199が圧縮機であり、ZEH（zero  energy  house、ZEH）空気調節案を採用する場合に、圧縮機が交流（AC）運転のときに、スイッチSW1〜SW3を調整して、圧縮機が第一回路C1に電気接続され、Y字型回路により給電されるようにさせることができる。他の場合、圧縮機が直流（DC）運転のときに、スイッチSW1〜SW3を調整して、圧縮機が第二回路C2に電気接続され、Δ字型回路により給電されるようにさせることができる。よって、実際のニーズに応じて、電動機199を適切な回路に電気接続することで、電動機199が高回転速度及び低回転速度のときにともに安定して運転し得るようにさせることができる。
【００２２】
図3は、図2の実施例において第一電気コネクター111〜113及び第二電気コネクター121〜123が上蓋150に設けられる様子を示す図である。図4は、図2及び図3の実施例における電動機199及びスイッチユニットSWの引き出し線を示す図である。
【００２３】
図2の上蓋150は、略示であり、図3の上蓋150は、実際の形状に近いが、図3は、例示に過ぎず、上蓋150の設計は、図3の設計に限定されない。図3のように、上蓋150には、２組の電気コネクターの引き出し部が設けられても良く、第１組の電気コネクターの引き出し部は、第一電気コネクター111、112及び113を設置するために用いられても良い。第二組電気コネクターの引き出し部は、第二電気コネクター121、122及び123を設置するために用いられても良い。
【００２４】
図4のように、絶縁引き出し線套管411、412、413、421、422及び423が見える。そのうち、絶縁引き出し線套管411、412及び413は、それぞれ、３つの引き出し線を被覆しても良く、これらの３つの引き出し線は、それぞれ、第一電気コネクター111、112及び113に電気接続される。絶縁引き出し線套管421、422及び423は、それぞれ、他の３つの引き出し線を被覆しても良く、これらの他の３つの引き出し線は、それぞれ、第二電気コネクター121、122及び123ｂに電気接続される。
【００２５】
実施例による電動機配線装置を用いることで、電動機運転の状況に応じて、電動機199を適切な回路に電気接続し、電動機に対して給電を行うことができ、これにより、電動機199は、高回転速度及び低回転速度のときにともに安定して運転することができ、また、不必要な手動調整を避けることもてきる。
【００２６】
以上、本考案の好ましい実施形態を説明したが、本考案はこの実施形態に限定されず、本考案の趣旨を離脱しない限り、本考案に対するあらゆる変更は本考案の技術的範囲に属する。
【符号の説明】
【００２７】
100  電動機配線装置
111〜11m、112、113  第一電気コネクター
121〜12n、122、123  第二電気コネクター
C1  第一回路
C2  第二回路
t11〜t1m、t12、t13  第一端
t21〜t2n、t22、t23  第二端
SW  スイッチユニット
SW1、SW2、SW3  スイッチ
199  電動機
P11、P12、P13、P21、P22、P23  受動素子
S1  第一固定子コネクター
S2  第二固定子コネクター
S3  第三固定子コネクター
150  上蓋
411、412、413、421、422、423  絶縁引き出し線套管
【図１】
0003218403.tif 000003
【図２】
0003218403.tif 000004
【図３】
0003218403.tif 000005
【図４】
0003218403.tif 000006